(57)【要約】光源に光ファイバを接続させるための光コネクタが開示される。一実施の形態において光コネクタは、開放開口部を有する第１端部と盲開口部を有する第２端部とを備えた、ハウジングを含んでいる。チャンバが、ハウジングの光軸がチャンバを通過するように、ハウジング内に配置されている。チャンバは第１の材料を含む。第２の材料から形成された集光領域が、ハウジング内の、ハウジングの第２端部とチャンバとの間に配置されている。盲開口部が、第２の材料の少なくとも一部によって盲開口部の終端がチャンバから間隔を空けて配置されるように、集光領域内に位置付けられている。屈折面が、ハウジングの光軸が屈折面を通過するように、ハウジング内の、開放開口部と集光領域との間に配置されている。
2017515156.tif 000002
【特許請求の範囲】
【請求項１】
光コネクタにおいて、
ハウジングであって、該ハウジングの光軸の両端部に位置付けられた第１端部および第２端部を備え、前記ハウジングの前記第１端部が開放開口部を有し、かつ前記ハウジングの前記第２端部が盲開口部を有し、前記ハウジングの光軸が前記開放開口部および前記盲開口部を通過する、ハウジング、
その中に第１の材料を配置して備えているチャンバであって、前記ハウジングの前記光軸が該チャンバを通過するように、前記ハウジングの内部容積内に配置されている、チャンバ、
第２の固体材料から形成された集光領域であって、前記ハウジングの前記光軸が該集光領域を通過するように、前記ハウジングの前記内部容積内の、前記ハウジングの前記第２端部と前記チャンバとの間に配置されており、さらに前記盲開口部の終端が前記第２の固体材料の少なくとも一部によって前記チャンバから間隔を空けて配置されるように、前記盲開口部が前記集光領域内に位置付けられている、集光領域、および、
少なくとも１つの屈折面であって、前記ハウジングの前記光軸が該少なくとも１つの屈折面を通過するように、前記ハウジング内の、前記開放開口部と前記集光領域との間に配置されている、少なくとも１つの屈折面、
を備えていることを特徴とする光コネクタ。
【請求項２】
（ｉ）前記盲開口部の前記終端が、前記第２の固体材料内の、前記少なくとも１つの屈折面の焦点の位置に位置付けられている、または、
（ｉｉ）前記開放開口部と、前記盲開口部と、前記少なくとも１つの屈折面とが、前記ハウジングの前記光軸と同軸である、
ことを特徴とする請求項１記載の光コネクタ。
【請求項３】
前記チャンバがフレア状であることを特徴とする請求項１または２記載の光コネクタ。
【請求項４】
光学アセンブリにおいて、
ハウジングであって、該ハウジングの光軸の両端部に位置付けられた第１端部および第２端部を備え、前記ハウジングの前記第１端部が開放開口部を有し、かつ前記ハウジングの前記第２端部が盲開口部を有し、前記ハウジングの光軸が前記開放開口部および前記盲開口部を通過する、ハウジング、
前記開放開口部に結合された、光源、
前記盲開口部内に位置付けられた、光ファイバ、および、
少なくとも１つの屈折面であって、前記光源と前記光ファイバの入力面との間の少なくとも２つの異なる材料を通って延在する前記光源から前記光ファイバの入力面への光路が、該少なくとも１つの屈折面を通過するように、前記開放開口部と前記盲開口部の終端との間に位置付けられている、少なくとも１つの屈折面、
を備えていることを特徴とする光学アセンブリ。
【請求項５】
（ｉ）前記光ファイバが光拡散ファイバである、および／または、
（ｉｉ）前記光源がレーザダイオードまたは発光ダイオード（ＬＥＤ）である、
ことを特徴とする請求項４記載の光学アセンブリ。
【請求項６】
前記少なくとも１つの屈折面が、球面レンズ、非球面レンズ、またはキノフォームレンズであることを特徴とする、請求項１から３いずれか１項記載の光コネクタまたは請求項５または６記載の光学アセンブリ。
【請求項７】
（ｉ）前記光源と前記光ファイバの前記入力面との間の前記光路が、前記ハウジング内に位置付けられた、第１の材料を含むチャンバと第２の固体材料を含む集光領域とを通って延在する、または、
（ｉｉ）前記光源がチャンバに光学的に結合されており、かつ前記光ファイバが集光領域に光学的に結合されている、
ことを特徴とする請求項５記載の光学アセンブリ。
【請求項８】
光コネクタにおいて、
ハウジングであって、該ハウジングの光軸の両端部に位置付けられた第１端部および第２端部を備えている、ハウジング、
その側壁に反射材料を位置付けて備えているチャンバであって、前記ハウジングの前記光軸が該チャンバを通過するように前記ハウジングの内部容積内に配置され、前記ハウジングの前記第１端部での前記チャンバの第１直径が前記ハウジングの前記第２端部での前記チャンバの第２直径よりも大きくなるように前記ハウジングの前記第１端部から前記ハウジングの前記第２端部へとテーパしている、チャンバ、および、
前記ハウジングの前記第１端部に結合されている光源であって、前記光源の電源をオンにすると該光源からの発散光が前記チャンバを通って伝播して、さらに該発散光が前記反射材料によって反射されて前記ハウジングの前記第２端部近傍で光が集中する、光源、
を備えていることを特徴とする光コネクタ。
【請求項９】
（ｉ）光ファイバであって、該光ファイバの入力面が前記チャンバ内に配置されるように前記ハウジングの前記第２端部に結合された、光ファイバをさらに備え、前記光源の電源をオンにすると、集中した前記光が前記光ファイバの前記入力面上に入射する、および／または、
（ｉｉ）前記ハウジングの前記第１端部と前記チャンバとの間に位置付けられたコリメートレンズをさらに備え、前記チャンバの前記第１直径が前記コリメートレンズの直径と実質的に同じである、
ことを特徴とする請求項８記載の光コネクタ。
【発明の詳細な説明】
【関連出願の説明】
【０００１】
本出願は、その内容が引用され、その全体が参照することにより本書に組み込まれる、２０１４年４月２９日に出願された米国仮特許出願第６１／９８５８０１号の優先権の利益を米国特許法第１１９条の下で主張するものである。
【技術分野】
【０００２】
本明細書は、一般に、光源と光ファイバとを結合するデバイスおよびアセンブリに関する。
【背景技術】
【０００３】
光ファイバは、光源からターゲット領域へと光を送出する多種多様な用途において用いられる。例えば、照明、標識、生物学的用途などのいくつかの用途では、光拡散光ファイバを通って伝播する光がファイバの長さに沿って半径方向外向きに散乱されるように光拡散光ファイバを利用することができ、それによりファイバの長さに沿ってターゲット領域を照らすことができる。この光拡散ファイバまたは他の光ファイバへと光源から光を送出するには、結合デバイスが好ましい。
【発明の概要】
【発明が解決しようとする課題】
【０００４】
様々な光源を光拡散ファイバまたは他の光ファイバに接続させるために、代替の光コネクタの必要性が存在する。
【課題を解決するための手段】
【０００５】
本書で説明される実施形態は、光源と光ファイバとを結合させるデバイスおよびアセンブリに関する。
【０００６】
一実施の形態によれば、光コネクタがハウジングを含み、ハウジングは、ハウジングの光軸の両端部に位置付けられた第１端部および第２端部を備えている。ハウジングの第１端部は開放開口部を、またハウジングの第２端部は盲開口部を、ハウジングの光軸がこの開放開口部および盲開口部を通過するように含み得る。チャンバが、ハウジングの光軸がチャンバを通過するように、ハウジングの内部容積内に配置され得る。チャンバは、第１の材料をその中に配置して含み得る。集光領域が、ハウジングの光軸が集光領域を通過するように、ハウジングの内部容積内の、ハウジングの第２端部とチャンバとの間に配置され得る。集光領域は第２の固体材料から形成されたものでもよく、また盲開口部は、盲開口部の終端が第２の固体材料の少なくとも一部によってチャンバから間隔を空けて配置されるように、集光領域内に位置付けられ得る。少なくとも１つの屈折面が、ハウジングの光軸がこの少なくとも１つの屈折面を通過するように、ハウジング内の、開放開口部と集光領域との間に配置され得る。
【０００７】
別の実施形態では光学アセンブリが、その内部容積内にチャンバを配置して備えている、ハウジングを含み得る。第１の材料をチャンバ内に入れてもよい。集光領域が、ハウジングの内部容積内に配置され得る。集光領域は第２の固体材料を含み得る。少なくとも１つの屈折面が、この少なくとも１つの屈折面の焦点が集光領域内になるように、ハウジングの内部容積内に配置され得る。光源が、光源からの光がチャンバ内に導かれるように、ハウジングに結合され得る。光ファイバの入力面が、第２の固体材料の少なくとも一部によってチャンバから間隔を空けて配置されて、さらに光源から光ファイバの入力面への光路が、チャンバと、少なくとも１つの屈折面と、集光領域の少なくとも一部とを通過するように、光ファイバが集光領域に結合され得る。
【０００８】
別の実施形態では、光学アセンブリがハウジングを含み得、ハウジングは、ハウジングの光軸の両端部に位置付けられた第１端部および第２端部を備えている。ハウジングの第１端部は開放開口部を含み得、またハウジングの第２端部は盲開口部を含み得る。ハウジングの光軸は、開放開口部と盲開口部とを通過し得る。光源が開放開口部に結合され得る。光ファイバが盲開口部内に位置付けられ得る。少なくとも１つの屈折面が、光源から光ファイバの入力面への光路がこの少なくとも１つの屈折面を通過するように、開放開口部と盲開口部の終端との間に位置付けられ得、この光路は、光源と光ファイバの入力面との間の少なくとも２つの異なる材料を通って延在する。
【０００９】
さらに別の実施形態では、光コネクタがハウジングを含み得、ハウジングは、ハウジングの光軸の両端部に位置付けられた第１端部および第２端部を備えている。チャンバが、ハウジングの光軸がチャンバを通過するように、ハウジングの内部容積内に配置され得る。チャンバは、チャンバの側壁に位置付けられた反射材料を含み得る。チャンバは、ハウジングの第１端部でのチャンバの第１直径がハウジングの第２端部でのチャンバの第２直径よりも大きくなるように、ハウジングの第１端部からハウジングの第２端部へとテーパしたものでもよい。光源の電源をオンにすると光源からの発散光がチャンバを通って伝播して、さらにこの発散光が反射材料によって反射されてハウジングの第２端部近傍で光が集中するように、光源がハウジングの第１端部に結合され得る。
【００１０】
本書で説明される実施形態のさらなる特徴および利点は以下の詳細な説明の中に明記され、ある程度は、その説明から当業者には容易に明らかになるであろうし、あるいは、以下の詳細な説明、請求項、並びに添付の図面を含め、本書で説明された実施形態を実施することにより認識されるであろう。
【００１１】
前述の一般的な説明および以下の詳細な説明は、種々の実施形態を説明したものであること、また請求される主題の本質および特徴を理解するための概要または構成を提供するよう意図されたものであることを理解されたい。添付の図面は、種々の実施形態のさらなる理解を提供するために含まれ、本明細書に組み込まれかつその一部を構成する。図面は本書で説明される種々の実施形態を示し、そしてその説明とともに、請求される主題の原理および動作の説明に役立つ。
【図面の簡単な説明】
【００１２】
【図１】本書で図示または説明される１以上の実施形態による、開放開口部と盲開口部とを備えた光コネクタの概略側面図
【図２】本書で図示または説明される１以上の実施形態による、光源と光ファイバとに結合された光コネクタを含む光学アセンブリの概略側面図
【図３】本書で図示または説明される１以上の実施形態による、第１の開放開口部と、第２の開放開口部と、テーパしたチャンバとを備えた光コネクタの概略側面図
【図４】本書で図示または説明される１以上の実施形態による、第１の開放開口部と、第２の開放開口部と、テーパしたチャンバとを備えた光コネクタの概略側面図
【発明を実施するための形態】
【００１３】
ここで光コネクタの実施形態を詳細に参照し、その例を添付の図面に示す。可能な限り、図面を通じて、同じまたは同様の部分の参照に同じ参照番号を使用する。本書において説明する光コネクタおよびアセンブリは、レーザダイオードまたは発光ダイオード（ＬＥＤ）などの光源を、伝送ファイバまたはさらには光拡散ファイバ（ＬＤＦ）などの、光ファイバに接続させることができる。光コネクタの一実施の形態が、図１に概略的に示されている。光コネクタは概してハウジングを含み、ハウジングは、ハウジングの光軸の両端部に位置付けられた第１端部および第２端部を備えている。ハウジングの第１端部は開放開口部を、またハウジングの第２端部は盲開口部を、ハウジングの光軸がこの開放開口部および盲開口部を通過するように含み得る。チャンバが、ハウジングの光軸がチャンバを通過するように、ハウジングの内部容積内に配置され得る。チャンバは、第１の材料をその中に配置して含み得る。集光領域が、ハウジングの光軸が集光領域を通過するように、ハウジングの内部容積内の、ハウジングの第２端部とチャンバとの間に配置され得る。集光領域は第２の固体材料から形成されたものでもよく、また盲開口部は、盲開口部の終端が第２の固体材料の少なくとも一部によってチャンバから間隔を空けて配置されるように、集光領域内に位置付けられ得る。少なくとも１つの屈折面が、ハウジングの光軸がこの少なくとも１つの屈折面を通過するように、ハウジング内の、開放開口部と集光領域との間に配置され得る。光コネクタの種々の実施形態を、添付の図面を特に参照して本書でさらに詳細に説明する。
【００１４】
ここで図１を参照すると、光コネクタ１００の側面図が概略的に描かれている。光コネクタ１００は、第１端部１１１に開放開口部１１３を有し、かつ第２端部１１２に盲開口部１１４を有する、ハウジング１１０を備えている。第１端部１１１および第２端部１１２は、光コネクタ１００の光軸１９０（すなわち、ハウジング１１０の光軸）の両端部に位置付けられている。いくつかの実施形態において開放開口部１１３および盲開口部１１４は、光軸１９０が開放開口部１１３および盲開口部１１４を通過しかつ開放開口部１１３および盲開口部１１４と同軸になるように、位置付けられる。光コネクタ１００は、チャンバ１３０、集光領域１４０、および屈折面１５０をさらに備え、これらの夫々は光軸１９０に沿ってハウジング１１０の内部容積１２０内に位置付けられている。チャンバ１３０は開放開口部１１３に隣接して配置され、また集光領域１４０は盲開口部１１４に隣接して配置されている。さらに屈折面１５０は、チャンバ１３０と集光領域１４０との間に配置されている。
【００１５】
いくつかの実施形態において光コネクタ１００は、光コネクタ１００が単一片の材料から成形または形成される場合など、一体構造のものでもよい。例えば単一片の透明材料を、ハウジング１１０、開放開口部１１３、盲開口部１１４、チャンバ１３０、集光領域１４０、および屈折面１５０などの、光コネクタ１００の個々の構成要素を含むように形成してもよい。あるいは光コネクタ１００を、複数の個々の構成要素を一緒に組み立てることによって形成してもよい。例えばハウジング１１０を、１以上の留め具および／または接着剤で結合された、２つの個別の半分部分で形成してもよい。
【００１６】
さらに図１を参照すると、光コネクタ１００のハウジング１１０は、光学的に透明な材料から作製されたものでもよい。例えば、いくつかの実施形態においてハウジング１１０は、例えば射出成形などの任意の既知のポリマー成形技術を用いて製造された成形ポリマーから形成され得る。ハウジング１１０の成形ポリマーは、アクリルポリマー、ＰＭＭＡ、ポリカーボネート、ポリスチレン、アクリル、環状オレフィンポリマー（例えば、Ｚｅｏｎｅｘ（商標））、Ｕｌｔｅｍ（商標）、透明ＰＶＣ、または精製ポリオレフィンを含み得る。あるいはハウジング１１０は、ガラスから作製されたものでもよい。この実施形態においてガラスは、精密研削および研磨法、単一点ダイヤモンド切削法、光学仕上げまでの成形、ニアネット形状までの成形と研削および研磨による仕上げ、複合ガラス形成粉末のニアネット形状への加圧成形と高温でのまたは熱間等方圧加圧（ＨＩＰ）を用いた圧密化（すなわち溶解）とによる固体ガラスハウジングへの変形、またはガラスの成形に用いられる他の類似の方法、を用いて、ハウジングに成形され得る。ハウジング１１０の材料は、透明、形成可能、および光学的に透過性で、光を第１端部１１１から第２端部１１２まで通過させることができるものとし得る。実施形態において、ハウジング１１０の長さは１０〜３０ｍｍ、例えば２０ｍｍでもよい。実施形態において、ハウジング１１０の直径は５〜１５ｍｍ、例えば１０ｍｍでもよい。図２〜４に描かれている以下の実施形態などのいくつかの実施形態においてハウジング１１０は、ハウジング１１０の両端部で光源および光ファイバを位置合わせして、光源から光ファイバへの光の結合を助けることができる。
【００１７】
ハウジング１１０は、ハウジング１１０の第１端部１１１に位置している開放開口部１１３を備えている。開放開口部１１３は、光源１６０（図２）をハウジング１１０内に受け入れかつ固定するための、受け部１１７を備えている。開放開口部１１３は、受け部１１７とチャンバ１３０との間に配置された、座面２４０をさらに含み得る。座面２４０は、ハウジング１１０における光源１６０の挿入深さを調整する基準面として用いることができ、また座面２４０は、光源１６０を機械的にまたは接着して結合させることができる、接合面も提供する。
【００１８】
いくつかの実施形態においてハウジング１１０は、ハウジング１１０の第２端部１１２に位置している盲開口部１１４をさらに備えている。盲開口部１１４は、ハウジング１１０の第２端部１１２から集光領域１４０内へと延在し、かつ集光領域１４０内で終端する。いくつかの実施形態において、盲開口部１１４の深さは約１ｍｍから約２ｍｍ、例えば約１．５ｍｍでもよい。盲開口部１１４は、光ファイバ１７０（図２）の種々の部分を受け入れるように構成され得る。光ファイバ１７０が盲開口部１１４内に位置付けられると、光ファイバ１７０の入力面１７１はハウジング１１０の集光領域１４０内の盲開口部１１４の終端と、概して同一位置にあるか、あるいは一致する。例えば、いくつかの実施形態において盲開口部１１４は、クラッド受け部１１６、コア受け部１１５、およびクラッド受け部１１６とコア受け部１１５との間に配置された、ファイバ座面２５０を備え得る。いくつかの実施形態においてコア受け部１１５は、光ファイバ１７０の、被覆を剥がしたコア部分（すなわち、導波路１７２）を受け入れる大きさであり、一方クラッド受け部１１６は、コア部分の周りにクラッドおよび／またはコーティングを元のまま備えている光ファイバ１７０の部分を受け入れる大きさである。
【００１９】
従って、いくつかの実施形態において、クラッド受け部１１６の直径はコア受け部１１５の直径よりも大きいことを理解されたい。例えばコア受け部１１５の直径は、例えば約２００μｍなど、約１００μｍから約３００μｍでもよく、またクラッド受け部１１６の直径は、例えば約５００μｍなど、約３００μｍから約７００μｍでもよい。いくつかの実施形態において（図示なし）、例えば盲開口部１１４が、被覆を剥がした光ファイバ、または代わりにクラッド光ファイバを、受け入れる大きさとされる場合などには、クラッド受け部１１６およびコア受け部１１５は実質的に同じ直径を有し得る。クラッド受け部１１６およびコア受け部１１５の直径が実質的に同等である場合には、盲開口部１１４はファイバ座面２５０を備えていなくてもよい。
【００２０】
ハウジング１１０は、盲開口部１１４内に光ファイバ１７０を保持するための、機械的保持器具（図示なし）を備え得る。例えば一実施の形態において（図示なし）、盲開口部１１４は、盲開口部１１４の側壁から集光領域１４０内の盲開口部１１４の終端へと向かう方向に延在する、１以上の弾性の掛かり部（barb）を備え得る。弾性の掛かり部が盲開口部１１４の壁に向かって曲がることで、光ファイバ１７０を盲開口部１１４内に挿入することができ、またこの掛かり部が光ファイバ１７０のクラッドおよび／またはコア部分と係合して、光ファイバ１７０が盲開口部１１４から引き出されることに抵抗する。
【００２１】
あるいは、コア受け部１１５、クラッド受け部１１６、またはこの両方は、把持部材を含み得る。例えば、回転させることで盲開口部１１４のコア受け部１１５およびクラッド受け部１１６の直径を増加または減少させることができる１以上のカム（図示なし）を、盲開口部１１４内に位置付けてもよい。光ファイバ１７０を盲開口部１１４内に据え付けるときに、このカムを付勢して光ファイバ１７０のクラッドおよび／またはコーティングに接触させ、それにより光ファイバ１７０が引き出されるのを防ぐことができる。光ファイバ１７０との係合は、ハウジング１１０に設置された、押し下げられるとカムを枢動させて光ファイバ１７０との係合を外す押しボタンで、解除することができる。代わりの例において盲開口部１１４は、コア受け部１１５またはクラッド受け部１１６と係合および解除することができる、１以上のレバーグリッパ（図示なし）をさらに備えていてもよい。レバーグリッパの一方の端部がコア受け部１１５またはクラッド受け部１１６に圧力を加えて、盲開口部１１４と光ファイバ１７０とを係合させることができる。多数のレバーグリッパを盲開口部１１４の周りに位置付けてもよく、さらにこれらのレバーグリッパを個々に付勢して、コア受け部１１５またはクラッド受け部１１６に接触させてもよい。あるいは多数のレバーグリッパを単一のアクチュエータによって付勢して、コア受け部１１５またはクラッド受け部１１６に接触させてもよい。
【００２２】
他の実施形態において、盲開口部１１４を、締まり嵌めを用いて光ファイバ１７０と結合させてもよい。締まり嵌めでは、コア受け部１１５の直径は光ファイバ１７０の導波路１７２の直径と実質的に同等でもよく、またクラッド受け部１１６の直径は、光ファイバ１７０のクラッド層１７３の直径と実質的に同等でもよい。盲開口部１１４および光ファイバ１７０の、表面間の摩擦によって、光ファイバ１７０は盲開口部１１４内で保持される。
【００２３】
さらに図１を参照すると、ハウジング１１０は、ハウジング１１０の内部容積１２０内のチャンバ１３０と盲開口部１１４との間に配置された集光領域１４０を、光軸１９０が集光領域１４０を通過するようにさらに含み得る。集光領域１４０は、盲開口部１１４の終端が、集光領域１４０の一部と実質的に同一位置にありかつ集光領域１４０の材料１４１の少なくとも一部によってチャンバ１３０から間隔を空けて配置されるように、ハウジング１１０内に位置付けられ得る。いくつかの実施形態において集光領域１４０は、ハウジング１１０および集光領域１４０が同じ材料から成形される場合など、ハウジング１１０と一体的に形成されている。あるいは集光領域１４０およびハウジング１１０は、異なる材料から共成形され得る。いくつかの実施形態において、集光領域１４０の長さは約５ｍｍから約１５ｍｍ、例えば７ｍｍまたは１４ｍｍでもよい。
【００２４】
図１に示されている実施形態において、集光領域１４０は、光をチャンバ１３０から盲開口部１１４へと誘導するためのライトパイプとして機能する。従って集光領域１４０は、一般に、例えばガラス、またはアクリルポリマー、ＰＭＭＡ、ポリカーボネート、ポリスチレン、アクリル、環状オレフィンポリマー（例えば、「Ｚｅｏｎｅｘ」）、「Ｕｌｔｅｍ」、透明ＰＶＣ、または精製ポリオレフィンなどのポリマー材料など、光学的に透明な固体の材料１４１から形成される。本書で説明される実施形態において集光領域１４０の材料１４１はチャンバ１３０の材料１３１とは異なるものであり、またいくつかの実施形態では、集光領域１４０の材料１４１はハウジング１１０の材料と同じ材料でもよい。
【００２５】
さらに図１を参照すると、ハウジング１１０は、ハウジング１１０の内部容積１２０内の開放開口部１１３と集光領域１４０との間に、開放開口部１１３に隣接して位置付けられたチャンバ１３０を、光軸１９０がチャンバ１３０を通過するようにさらに含み得る。いくつかの実施形態において、集光領域１４０近傍のチャンバ１３０の終端は、屈折面１５０と実質的に同一位置にある。チャンバ１３０の長さは約５ｍｍから約１５ｍｍ、例えば７ｍｍまたは１４ｍｍでもよい。チャンバ１３０は概して、ハウジング１１０の内部容積１２０内の中空のまたは開口した容積を含み、これにハウジング１１０の材料および集光領域１４０の材料１４１とは異なる、材料１３１が入っている。いくつかの実施形態において、チャンバ１３０の材料１３１は空気などの気体を含み、また集光領域１４０の材料１４１は第２の固体材料を含む。
【００２６】
いくつかの実施形態においてチャンバ１３０の材料１３１は、屈折率整合ゲル、オイル、または硬化した光学的接着剤などの、屈折率整合材料を含み得る。屈折率整合材料は組成的に集光領域１４０の材料１４１とは異なる材料でもよいが、屈折率整合材料の屈折率は、チャンバ１３０から光を集めてその光を集光領域１４０に通して伝播するのを助けるために、集光領域１４０の材料１４１の屈折率に類似しているか、あるいは同一である。非限定的な例として、集光領域１４０の材料１４１は屈折率１．５のシリコンポリマーを含み得、またチャンバ１３０の材料１３１は屈折率１．５の、ゲルなどの屈折率整合材料を含み得る。他の実施形態においてチャンバ１３０の材料１３１は、その屈折率が集光領域１４０の材料１４１の屈折率とは異なる、屈折率整合材料を含み得る。例えば材料１３１の屈折率は、１よりも大きいが、集光領域１４０の材料１４１の屈折率よりも小さいものでもよい。
【００２７】
さらに図１を参照すると、ハウジング１１０は、ハウジング１１０内の開放開口部１１３と集光領域１４０との間に配置された少なくとも１つの屈折面１５０を、ハウジング１１０の光軸１９０が屈折面１５０を通過しかつ屈折面１５０と同軸になるようにさらに含み得る。屈折面１５０は、チャンバ１３０を通って集光領域１４０内へと伝播している光を、集中および集束させるように構成されている。従って、いくつかの実施形態において屈折面１５０の焦点１５１は、屈折面１５０の焦点１５１が盲開口部１１４の終端と一致する、または同一位置に配置される場合など、集光領域１４０内に位置決めされる。盲開口部１１４の終端と焦点１５１との同一位置への配置は、屈折面１５０の曲率半径、屈折面１５０の屈折率、集光領域１４０の材料１４１の屈折率、および集光領域１４０の長さに依存する。例えば集光領域１４０の材料１４１および屈折面１５０の材料が屈折率１．５のポリマーを含み、かつ集光領域の長さが５ｍｍである場合、屈折面１５０の焦点を盲開口部１１４の終端と実質的に同一位置にするために、屈折面１５０の曲率半径を約１．２５ｍｍとするべきである。
【００２８】
いくつかの実施形態において屈折面１５０は、ガラスまたはポリマーなど、集光領域１４０と同じ材料１４１でもよい。あるいは屈折面１５０は、異なる材料から形成されたものでもよい。光コネクタ１００が一体構造である実施形態では、屈折面１５０を、ハウジング１１０と一体化された、ハウジング１１０へと成形されたものとし得る。他の実施形態において、屈折面１５０はハウジング１１０から分離して形成されたものでもよいし、さらにハウジング１１０の集光領域１４０に結合されたものでもよい。例えば屈折面１５０を、機械的に、または接着剤によって、あるいはこれらを組み合わせて、集光領域１４０に結合させてもよい。屈折面１５０は、ハウジング１１０と共成形されたものでもよい。
【００２９】
いくつかの実施形態において屈折面１５０は、レンズ、例えば球面レンズ、非球面レンズ、またはキノフォームレンズを含み得る。他の実施形態において屈折面１５０は、回折面または平面でもよい。屈折面１５０が平面的である場合、光コネクタ１００に結合された光源からの光は発散光として始まり、屈折面１５０を通過して集光領域１４０内へと進み、さらに光ファイバの入力面と実質的に同一位置になり得る盲開口部１１４の終端に向かって発散し続け得る。この実施形態において、屈折面１５０および集光領域１４０を含めたハウジング１１０は、光ファイバと光源の光との間に光ファイバの入力面で幾何学的な重複部分を生じさせることによって、光源を光ファイバに結合させる。
【００３０】
ここで図２を参照すると、光学アセンブリ２００において光コネクタ１００を利用して、光源１６０からの光１６１を光ファイバ１７０へと結合させることができる。例えば光学アセンブリ２００は、ハウジング１１０の開放開口部１１３に結合された光源１６０と、ハウジング１１０の盲開口部１１４に結合された光ファイバ１７０とを含み得る。この実施形態において光源１６０は、光源１６０から放出された光１６１がハウジング１１０のチャンバ１３０に入り、光路１８０に沿って進み、さらに光ファイバ１７０の入力面１７１に到達するように、ハウジング１１０に結合されている。光路１８０は、ハウジング１１０の光軸１９０と実質的に同一位置である。いくつかの実施形態において光路１８０は、チャンバ１３０と、屈折面１５０と、集光領域１４０とを通過する。光１６１は、集光領域１４０の一方の端部に位置する屈折面１５０から光ファイバ１７０の入力面１７１へと、集光領域１４０を通って伝播する。いくつかの実施形態において、光源１６０からの光１６１は発散光であり、この発散光は屈折面１５０を通過して、屈折面１５０の焦点１５１上に集光される。例えば、いくつかの実施形態において屈折面１５０の焦点１５１は、集光領域１４０内の光ファイバ１７０の入力面１７１と実質的に同一位置である。
【００３１】
さらに図２を参照すると、光学アセンブリ２００は、開放開口部１１３の受け部１１７内に位置付けられかつ開放開口部１１３の座面２４０と係合している、光源１６０と共に概略的に描かれている。本書で説明される実施形態において、光源１６０は、レーザダイオード、ＬＥＤ、赤‐緑‐青（ＲＧＢ）ダイオード、または白色光源でもよい。いくつかの実施形態において光源１６０は、例えば複数のレーザダイオード、複数のＬＥＤ、または個々の赤色、緑色、および青色ダイオードなど、複数の放射体を備え得る。いくつかの実施形態では光源１６０を、標準化されたトランジスタアウトライン（ＴＯ）缶パッケージ内にまとめて、開放開口部１１３との結合を助けてもよい。いくつかの実施形態では光源１６０を、締まり嵌め、機械的接続、接着剤、またはこれらの組合せによって、受け部１１７と係合させてもよい。光源１６０が光１６１をハウジング１１０の第１端部１１１から第２端部１１２へと光軸１９０に沿って放出するように、受け部１１７は光源１６０を開放開口部１１３内の中心に位置付ける。受け部１１７はさらに、光源１６０が集光領域１４０および少なくとも１つの屈折面１５０から、チャンバ１３０の長さだけ間隔を空けるように光源１６０を位置付ける。
【００３２】
さらに図２を参照すると、光学アセンブリ２００は、ハウジング１１０の盲開口部１１４内に位置付けられた、光ファイバ１７０と共に概略的に描かれている。光ファイバ１７０は盲開口部１１４に、締まり嵌め、機械的接続（すなわち、止めねじ、ねじ付き缶パッケージなどを利用）、接着剤、またはこれらの組合せを用いて、係合され得る。例えば、いくつかの実施形態において盲開口部１１４のコア受け部１１５は、光ファイバ１７０の導波路１７２と係合することができる。この実施形態では、光ファイバ１７０のクラッド層１７３およびコーティング層１７４を光ファイバ１７０の一部から取り除いて、盲開口部１１４のコア受け部１１５内に挿入される導波路１７２を露出させてもよい。クラッド層１７３およびコーティング層１７４を取り除くことによって、導波路１７２は盲開口部１１４のコア受け部１１５と直接係合する。この実施形態において、光ファイバ１７０が盲開口部１１４内に挿入されかつ直接クラッド受け部１１６と係合する場合には、露出された導波路１７２に隣接する光ファイバ１７０の部分からコーティング層１７４を取り除き、盲開口部１１４のクラッド受け部１１６に入るクラッド層１７３を露出させる。光ファイバ１７０の一部を盲開口部１１４の一部に接合させてもよい。例えばいくつかの実施形態では、光ファイバ１７０のクラッドをファイバ座面２５０に接着接合し、盲開口部１１４内で光ファイバ１７０を保持するようにしてもよい。本書で説明される実施形態において、光ファイバ１７０が盲開口部１１４内に位置付けられるとき、光ファイバ１７０の入力面１７１はハウジング１１０の集光領域１４０内の盲開口部１１４の終端と、概して同一位置である、または一致する。
【００３３】
ここで図３を参照すると、別の実施形態の光コネクタ３００が描かれている。この実施形態において、光コネクタ３００はハウジング１１０を含み、ハウジング１１０は、ハウジング１１０の光軸１９０の両端部に位置付けられた第１端部１１１および第２端部１１２を備えている。コリメートレンズ５５０およびチャンバ１３０が、ハウジング１１０の内部容積１２０内に配置されている。チャンバ１３０は側壁２２０を備えている。例えばチャンバ１３０の断面は実質的に円形でもよく、従って、チャンバ１３０を画成する単一の側壁２２０を備えている。チャンバ１３０は、チャンバ１３０の側壁２２０に位置付けられた反射材料２１０をさらに備えていてもよい。例えば、いくつかの実施形態において側壁２２０は、高反射性の誘電体反射器、または銀、金、アルミニウムなどの金属コーティングで、鏡面としたものでもよい。いくつかの実施形態においてハウジング１１０は、一体構造の材料片、例えば単一片のポリマーまたはガラスから作製されたものでもよい。あるいはハウジング１１０は、接着剤および／または機械的留め具で一緒に結合された、個別のセグメントから構成されたものでもよい。複数片の実施形態において、ハウジング１１０は、ハウジング１１０の光軸１９０に平行な平面の両側に配置されかつ光軸１９０に平行な平面に沿って一緒に結合された、第１ハーフおよび第２ハーフを含むものでもよい。
【００３４】
さらに図３を参照すると、チャンバ１３０は、第１端部１１１から第２端部１１２へとテーパして、チャンバ１３０を通って伝播する光を集中させる光学的「漏斗」を生成する。例えばチャンバ１３０は、ハウジング１１０の第１端部１１１に近いチャンバ１３０の開口部でのチャンバ１３０の第１直径２２１が、ハウジング１１０の第２端部１１２に近いチャンバ１３０の終端でのチャンバ１３０の第２直径２２２よりも大きくなるように、ハウジング１１０の第１端部１１１から第２端部１１２へとテーパしたものでもよい。テーパしたチャンバ１３０は、様々な放物線状または錐体状形状に成形されたものでもよい。例えばテーパしたチャンバ１３０は、光学的ホーン（すなわち、チャンバ１３０の直径が第１端部１１１から第２端部１１２へと指数関数的に減少する）、逆フレア、円錐台、放物線などでもよい。
【００３５】
さらに図３を参照すると、一実施の形態において光コネクタ３００は、ハウジング１１０の第１端部１１１に第１の開放開口部１１３を、さらにハウジング１１０の第２端部１１２に第２の開放開口部２３０を含み得る。第１の開放開口部１１３は、図１および２に対して上述した開放開口部に類似した構成とすることができる。第２の開放開口部２３０は、チャンバ１３０内へと直接開口はしているが、図１および２に対して上述した盲開口部１１４に類似した構成とすることができる。図２に対して上述したように、光源１６０を第１の開放開口部１１３に結合してもよく、また光ファイバ１７０を第２の開放開口部２３０に結合してもよい。例えば光ファイバ１７０は、光ファイバ１７０の入力面１７１がチャンバ１３０の終端に位置付けられるように、第２の開放開口部２３０内に位置付けられ得る。
【００３６】
さらに図３を参照すると、いくつかの実施形態ではコリメートレンズ５５０が、ハウジング１１０の第１端部１１１に、テーパしたチャンバ１３０に隣接して位置付けられている。チャンバ１３０の開口部でのチャンバ１３０の第１直径２２１は、コリメートレンズ５５０の直径と実質的に同一である。チャンバ１３０は、光ファイバ１７０の入力面１７１と実質的に同一位置にあるチャンバ１３０終端で、より小さい第２直径２２２へとテーパしている。第２直径２２２は、導波路１７２および光ファイバ１７０の入力面１７１の、両方の直径よりも小さい。この実施形態においてテーパしたチャンバ１３０は、光ファイバ１７０の入力面１７１の一部に入射する光１６１を集中させることができる。
【００３７】
コリメートレンズ５５０は、第１の開放開口部１１３の終端およびテーパしたチャンバ１３０の開口部と、実質的に同一位置にある。コリメートレンズ５５０は、ガラスまたはポリマーなど、集光領域１４０と同じ材料１４１でもよい。あるいはコリメートレンズ５５０は、異なる材料から形成されたものでもよい。光コネクタ３００が一体構造である実施形態では、コリメートレンズ５５０を、ハウジング１１０と一体化された、ハウジング１１０へと成形されたものとし得る。他の実施形態において、コリメートレンズ５５０はハウジング１１０から分離して形成されたものでもよいし、さらに例えば機械的に、または接着剤によって、あるいはこれらを組み合わせて、ハウジング１１０の第１の開放開口部１１３に、あるいはチャンバ１３０の側壁２２０に、結合されたものでもよい。コリメートレンズ５５０は、第１の開放開口部１１３の終端とチャンバ１３０との間に位置付けられ得る。コリメートレンズ５５０は、ハウジング１１０と共成形されたものでもよい。
【００３８】
さらに図３を参照すると、ハウジング１１０は、第１の開放開口部１１３と、コリメートレンズ５５０と、チャンバ１３０と、第２の開放開口部２３０とを通過する、光軸１９０を含む。光源１６０がハウジング１１０の第１端部１１１に結合されかつ光源１６０の電源をオンにすると、光源１６０から放出された発散する光１６１が光軸１９０に沿って、ハウジング１１０の第２端部１１２に結合された光ファイバに向かって伝播する。光１６１は、光１６１をコリメートしチャンバ１３０内へと導く、コリメートレンズ５５０を通過する。コリメートされた光１６１がチャンバ１３０を通って伝播すると、光１６１はチャンバ１３０の側壁２２０に位置付けられた反射材料２１０によって反射される。コリメートされた光１６１が光路１８０に沿って伝播すると、コリメートされた光１６１はチャンバ１３０のテーパした形状によってハウジング１１０の第２端部１１２近傍で集中し、光ファイバ１７０の入力面１７１上に入射する。
【００３９】
実施形態において光コネクタ３００は、図１および２に描かれている実施形態に類似して、チャンバ１３０の終端と第２端部１１２との間に位置付けられた、屈折面（図示なし）および集光領域（図示なし）をさらに含み得る。この実施形態において光源１６０から放出された光１６１は、コリメートレンズ５５０およびチャンバ１３０を通過し、またチャンバ１３０のテーパした側壁２２０から、光１６１が屈折面上に集中するように反射される。屈折面はコリメートされた光を、光ファイバ１７０の入力面１７１と実質的に同一位置にある、集光領域内の屈折面の焦点上へと集中させ、それにより光ファイバ１７０の入力面１７１上に入射する高出力密度の光１６１を導く。
【００４０】
ここで図４を参照すると、別の実施形態の光コネクタ４００が描かれている。この実施形態において光コネクタ４００は、ハウジング１１０の内部容積１２０内に配置されたチャンバ１３０を備えている。チャンバ１３０は第１端部１１１から第２端部１１２へとテーパして、チャンバ１３０を通って伝播する光を導く光学的「漏斗」を生成する。例えばチャンバ１３０は、ハウジング１１０の第１端部１１１に近いチャンバ１３０の開口部でのチャンバ１３０の第１直径２２１が、ハウジング１１０の第２端部１１２に近いチャンバ１３０の終端でのチャンバ１３０の第２直径２２２よりも大きくなるように、ハウジング１１０の第１端部１１１から第２端部１１２へとテーパしたものでもよい。テーパしたチャンバ１３０は、様々な放物線状または錐体状の形状に成形されたものでもよい。例えばテーパしたチャンバ１３０は、光学的ホーン（すなわち、チャンバ１３０の直径が第１端部１１１から第２端部１１２へと指数関数的に減少する）、逆フレア、円錐台、放物線などでもよい。
【００４１】
光源１６０がハウジング１１０の第１端部１１１に結合されかつ光源１６０の電源をオンにすると、光源１６０から放出された発散する光１６１がチャンバ１３０を通って光コネクタ４００の光軸１９０に沿って伝播する。発散する光１６１がチャンバ１３０を通って伝播すると、光１６１はチャンバ１３０の側壁２２０に位置付けられた反射材料２１０によって反射される。光１６１が光路１８０に沿って伝播すると、発散する光１６１はチャンバ１３０のテーパした形状によってハウジング１１０の第２端部１１２近傍で集中し、光ファイバ１７０の入力面１７１上に入射する。
【００４２】
いくつかの実施形態において（図示なし）光コネクタ４００は、図１および２に描かれている実施形態に類似して、チャンバ１３０の終端と第２端部１１２との間に位置付けられた、屈折面（図示なし）および集光領域（図示なし）をさらに含み得る。この実施形態において、光源１６０から放出された光１６１はチャンバ１３０を通過し、またチャンバ１３０のテーパした側壁２２０から、光１６１が屈折面上に集中するように反射される。屈折面は発散する光１６１を、光ファイバ１７０の入力面１７１と実質的に同一位置にある、集光領域内の屈折面の焦点上へと集中させ、それにより光ファイバ１７０の入力面１７１上に入射する高出力密度の光１６１を導く。
【００４３】
ここで、本書で説明される光コネクタは、光源から放出された発散光を光ファイバの入力面上に効率的に集束させるために使用され得ることを理解されたい。このような光コネクタは、照明用途で使用される伝送光ファイバおよび／または光拡散ファイバと併せて容易に採用することができる。このような光ファイバは、光源と光ファイバとを迅速に結合および／または分離させる機構をコネクタが提供するため、照明用途で使用するのに特によく適している。さらにこれらの光コネクタは、従来の成形および／または機械加工技術を用いて容易に製造することができるため、複雑な光学部品または外部の位置合わせ設備を必要とせずに効率的に光源を光ファイバに結合させる低コストの解決策が、この光コネクタにより提供される。
【００４４】
「実質的に」および「約」という用語は、任意の定量比較、値、測定値、または他の表現に起因し得る、固有の不確実さの度合いを表すために本書で利用され得ることに留意されたい。これらの用語はさらに、論じている主題の基本的機能に変化をもたらすことなく、記載した基準から定量的表現が変化し得る度合いを表すために本書で利用される。
【００４５】
特定の実施形態を本書で図示および説明してきたが、種々の他の変化および改変が、請求される主題の精神および範囲から逸脱することなく加えられ得ることを理解されたい。さらに、請求される主題の種々の態様を本書で説明してきたが、このような態様を組み合わせて利用する必要はない。従って、添付の請求項が、請求される主題の範囲内の全てのこういった変化および改変を含むと意図されている。
【００４６】
「実質的に」および「約」という用語は、任意の定量比較、値、測定値、または他の表現に起因し得る、固有の不確実さの度合いを表すために本書で利用され得ることに留意されたい。これらの用語はさらに、論じている主題の基本的機能に変化をもたらすことなく、記載した基準から定量的表現が変化し得る度合いを表すために本書で利用される。
【００４７】
請求される主題の精神および範囲から逸脱することなく、本書において説明された実施形態の種々の改変および変形が作製可能であることは当業者には明らかであろう。従って、本書において説明された種々の実施形態の改変および変形が、添付の請求項およびその同等物の範囲内であるならば、本明細書はこのような改変および変形を含むと意図されている。
【００４８】
以下、本発明の好ましい実施形態を項分け記載する。
【００４９】
実施形態１
光コネクタにおいて、
ハウジングであって、該ハウジングの光軸の両端部に位置付けられた第１端部および第２端部を備え、前記ハウジングの前記第１端部が開放開口部を有し、かつ前記ハウジングの前記第２端部が盲開口部を有し、前記ハウジングの光軸が前記開放開口部および前記盲開口部を通過する、ハウジング、
その中に第１の材料を配置して備えているチャンバであって、前記ハウジングの前記光軸が該チャンバを通過するように、前記ハウジングの内部容積内に配置されている、チャンバ、
第２の固体材料から形成された集光領域であって、前記ハウジングの前記光軸が該集光領域を通過するように、前記ハウジングの前記内部容積内の、前記ハウジングの前記第２端部と前記チャンバとの間に配置されており、さらに前記盲開口部の終端が前記第２の固体材料の少なくとも一部によって前記チャンバから間隔を空けて配置されるように、前記盲開口部が前記集光領域内に位置付けられている、集光領域、および、
少なくとも１つの屈折面であって、前記ハウジングの前記光軸が該少なくとも１つの屈折面を通過するように、前記ハウジング内の、前記開放開口部と前記集光領域との間に配置されている、少なくとも１つの屈折面、
を備えていることを特徴とする光コネクタ。
【００５０】
実施形態２
前記盲開口部の前記終端が、前記第２の固体材料内の、前記少なくとも１つの屈折面の焦点の位置に位置付けられていることを特徴とする実施形態１記載の光コネクタ。
【００５１】
実施形態３
前記開放開口部と、前記盲開口部と、前記少なくとも１つの屈折面とが、前記ハウジングの前記光軸と同軸であることを特徴とする実施形態１または２記載の光コネクタ。
【００５２】
実施形態４
前記第２の固体材料が、ガラスまたはポリマーを含む透明材料であることを特徴とする実施形態１記載の光コネクタ。
【００５３】
実施形態５
前記チャンバがフレア状であることを特徴とする実施形態１から４いずれか１項記載の光コネクタ。
【００５４】
実施形態６
光学アセンブリにおいて、
ハウジングであって、該ハウジングの光軸の両端部に位置付けられた第１端部および第２端部を備え、前記ハウジングの前記第１端部が開放開口部を有し、かつ前記ハウジングの前記第２端部が盲開口部を有し、前記ハウジングの光軸が前記開放開口部および前記盲開口部を通過する、ハウジング、
前記開放開口部に結合された、光源、
前記盲開口部内に位置付けられた、光ファイバ、および、
少なくとも１つの屈折面であって、前記光源と前記光ファイバの入力面との間の少なくとも２つの異なる材料を通って延在する前記光源から前記光ファイバの入力面への光路が、該少なくとも１つの屈折面を通過するように、前記開放開口部と前記盲開口部の終端との間に位置付けられている、少なくとも１つの屈折面、
を備えていることを特徴とする光学アセンブリ。
【００５５】
実施形態７
前記光ファイバが光拡散ファイバであることを特徴とする実施形態６記載の光学アセンブリ。
【００５６】
実施形態８
前記光源がレーザダイオードまたは発光ダイオード（ＬＥＤ）であることを特徴とする実施形態６または７記載の光学アセンブリ。
【００５７】
実施形態９
前記少なくとも１つの屈折面が、球面レンズ、非球面レンズ、またはキノフォームレンズであることを特徴とする、実施形態１から３いずれか１項記載の光コネクタまたは実施形態６から８いずれか１項記載の光学アセンブリ。
【００５８】
実施形態１０
前記光源と前記光ファイバの前記入力面との間の前記光路が、前記ハウジング内に位置付けられた、第１の材料を含むチャンバと第２の固体材料を含む集光領域とを通って延在することを特徴とする実施形態６記載の光学アセンブリ。
【００５９】
実施形態１１
前記第１の材料が屈折率整合ゲルであることを特徴とする実施形態１記載の光コネクタまたは実施形態１０記載の光学アセンブリ。
【００６０】
実施形態１２
前記屈折率整合ゲルが、前記第２の固体材料の屈折率と実質的に同等の屈折率を有していることを特徴とする実施形態１１記載の光コネクタまたは光学アセンブリ。
【００６１】
実施形態１３
前記光源がチャンバに光学的に結合されており、かつ前記光ファイバが集光領域に光学的に結合されていることを特徴とする実施形態６記載の光学アセンブリ。
【００６２】
実施形態１４
光コネクタにおいて、
ハウジングであって、該ハウジングの光軸の両端部に位置付けられた第１端部および第２端部を備えている、ハウジング、
その側壁に反射材料を位置付けて備えているチャンバであって、前記ハウジングの前記光軸が該チャンバを通過するように前記ハウジングの内部容積内に配置され、前記ハウジングの前記第１端部での前記チャンバの第１直径が前記ハウジングの前記第２端部での前記チャンバの第２直径よりも大きくなるように前記ハウジングの前記第１端部から前記ハウジングの前記第２端部へとテーパしている、チャンバ、および、
前記ハウジングの前記第１端部に結合されている光源であって、前記光源の電源をオンにすると該光源からの発散光が前記チャンバを通って伝播して、さらに該発散光が前記反射材料によって反射されて前記ハウジングの前記第２端部近傍で光が集中する、光源、
を備えていることを特徴とする光コネクタ。
【００６３】
実施形態１５
光ファイバであって、該光ファイバの入力面が前記チャンバ内に配置されるように前記ハウジングの前記第２端部に結合された、光ファイバをさらに備え、前記光源の電源をオンにすると、集中した前記光が前記光ファイバの前記入力面上に入射することを特徴とする実施形態１４記載の光コネクタ。
【００６４】
実施形態１６
前記チャンバの前記第２直径が前記光ファイバの前記入力面の直径よりも小さいことを特徴とする実施形態１５記載の光コネクタ。
【００６５】
実施形態１７
前記ハウジングの前記第１端部と前記チャンバとの間に位置付けられたコリメートレンズをさらに備え、前記チャンバの前記第１直径が前記コリメートレンズの直径と実質的に同じであることを特徴とする実施形態１５または１６記載の光コネクタ。
【符号の説明】
【００６６】
１００、３００、４００    光コネクタ
１１０    ハウジング
１１１    第１端部
１１２    第２端部
１１３    開放開口部
１１４    盲開口部
１２０    内部容積
１３０    チャンバ
１４０    集光領域
１５０    屈折面
１５１    焦点
１６０    光源
１６１    光
１７０    光ファイバ
１７１    入力面
１８０    光路
１９０    光軸
２００    光学アセンブリ
２１０    反射材料
２２０    側壁
２２１    第１直径
２２２    第２直径
２３０    第２の開放開口部
５５０    コリメートレンズ
【図１】
2017515156.tif 000003
【図２】
2017515156.tif 000004
【図３】
2017515156.tif 000005
【図４】
2017515156.tif 000006
【国際調査報告】
2017515156.tif 000007
2017515156.tif 000008
2017515156.tif 000009